(57)【要約】【課題】不使用時に表示部を視野外に退避可能でありつつ使い勝手のよい画像表示装置を提供する。【解決手段】一の軸線(CLa)方向に延びる細長形状からなる基部(2a)と、基部(2a)の先端において、一の軸線(CLa)まわりにおける回動が可能に連結されたアーム部(2b)と、アーム部(2b)の先端に支持され画像を表示する表示部(3)と、一の軸線(CLa)まわりにおける回動よるアーム部(2b)の状態を検出する検出部(8)と、検出部(8)が、アーム部(2b)の状態が第１の状態であることを検出した場合には、画像表示装置(51)の一部の機能に対する画像表示装置(51)の電源からの通電をオフとし、アーム部(2b)の状態が第２の状態であることを検出した場合には、画像表示装置(51)の電源をオフとする制御部(CT)と、を備えた。【選択図】図１
2019009674.tif 000002
【特許請求の範囲】
【請求項１】
一の軸線方向に延びる細長形状からなる基部と、
前記基部の先端において、前記一の軸線まわりにおける回動が可能に連結されたアーム部と、
前記アーム部の先端に支持され画像を表示する表示部と、
前記一の軸線まわりにおける回動よる前記アーム部の状態を検出する検出部と、
前記検出部が、前記アーム部の状態が第１の状態であることを検出した場合には、画像表示装置の一部の機能に対する画像表示装置の電源からの通電をオフとし、前記アーム部の状態が第２の状態であることを検出した場合には、画像表示装置の電源をオフとする制御部と、
を備えた画像表示装置。
【発明の詳細な説明】
【技術分野】
【０００１】
本発明は、画像表示装置に係る。
【背景技術】
【０００２】
いわゆるヘッドマウントディスプレイとも称される頭部装着型の画像表示装置が知られており、特許文献１に記載されている。
特許文献１に記載されたヘッドマウントディスプレイは、表示部を先端に支持するアーム状の支持部を有し、その支持部を、表示部を視野内に位置させる使用状態から頭頂部方向の視野外に位置させる不使用状態へ回動可能としている。そして、表示部が頭頂部にある不使用状態で、表示部の画像表示をオフにする機能を有している。
【先行技術文献】
【特許文献】
【０００３】
【特許文献１】特開２００７−２５８９１３号公報
【発明の概要】
【発明が解決しようとする課題】
【０００４】
特許文献１に記載されたヘッドマウントディスプレイ（以下、ＨＭディスプレイとも称する）は、使用時に表示部を視野内に入れるべく、支持部の形状を、側頭部に位置するヘッドホンを支点とし、前方内側に湾曲して延びるアーム状としている。
そして、不使用時には、湾曲したアーム状の支持部を、頭頂部に向け上方回動させて表示部を視野外に退避させるようになっている。すなわち、表示部は、左眼の直前位置からそのまま上方移動する。
そのため、使用者が、鍔を有する作業帽を被っているときには、上方回動した表示部が鍔に当たってしまう虞があり、使い勝手の点で改良の余地があった。
【０００５】
そこで、本発明が解決しようとする課題は、不使用時に表示部を視野外に退避可能でありつつ使い勝手のよい画像表示装置を提供することにある。
【課題を解決するための手段】
【０００６】
上記の課題を解決するために、本発明は、一の軸線方向に延びる細長形状からなる基部と、前記基部の先端において、前記一の軸線まわりにおける回動が可能に連結されたアーム部と、前記アーム部の先端に支持され画像を表示する表示部と、前記一の軸線まわりにおける回動よる前記アーム部の状態を検出する検出部と、前記検出部が、前記アーム部の状態が第１の状態であることを検出した場合には、画像表示装置の一部の機能に対する画像表示装置の電源からの通電をオフとし、前記アーム部の状態が第２の状態であることを検出した場合には、画像表示装置の電源をオフとする制御部と、を備えた画像表示装置とされている。
【発明の効果】
【０００７】
本発明によれば、不使用時に表示部を視野外に退避可能でありつつ使い勝手のよい画像表示装置を提供することにある。
【図面の簡単な説明】
【０００８】
【図１】図１は、本発明の実施の形態に係る画像表示装置の実施例であるヘッドマウントディスプレイ５１（以下、ＨＭディスプレイ５１）の使用状態を説明するための斜視図である。
【図２】図２は、ＨＭディスプレイ５１の使用状態を説明するための前面図である。
【図３】図３は、ＨＭディスプレイ５１の不使用状態を説明するための斜視図である。
【図４】図４は、表示部３の上方回動退避状態を説明するための斜視図である。
【図５】図５は、表示部３の上方回動退避状態を説明するための右側面図である。
【図６】図６は、表示部３の下方回動退避状態を説明するための右側面図である。
【図７】図７は、基部２ａとアーム部２ｂとの連結部分の構造を説明するための分解図である。
【図８】図８は、アーム部２ｂの回動位置を検出する構造例を説明するための分解図である。
【図９】図９は、アーム部２ｂの回動位置を検出する他の構造例を説明するための分解図である。
【発明を実施するための形態】
【０００９】
本発明の実施の形態に係るヘッドマウントディスプレイ（画像表示装置）を、実施例のＨＭディスプレイ５１により説明する。
以下の説明においては、前後左右上下方向を、ＨＭディスプレイ５１を起立した使用者Ｈの頭部Ｈａに装着した状態での前後左右上下方向として規定し、各図に矢印で示してある。例えば、前方は顔の向く方向である。
【００１０】
図１は、ＨＭディスプレイ５１を、起立した使用者Ｈの頭部Ｈａに装着して使用可能な状態（以下、使用状態と称する）を、前斜め上方から見た斜視図である。
図２は、図１に示される使用状態を、前方から見た前面図である。
【００１１】
ＨＭディスプレイ５１は、使用者の頭部Ｈａに装着するための弧状の装着バンド部１と、装着バンド部１の左右一方の側部（この例では左側部）に取り付けられ、使用状態において前斜め下方に延びる表示アーム部２と、表示アーム部２の先端に取り付けられた表示部３と、を有している。
使用状態において、表示部３は使用者Ｈの左眼Ｈｅの視野内に位置し、表示部３に備えられた表示素子３ａの表示画面を視認可能となっている。
【００１２】
表示アーム部２は、軸線ＣＬａ方向に延びる細長い柱状の基部２ａと、基部２ａの先端に連結支持され、基部２ａの軸線ＣＬａまわりの所定角度範囲で回動可能とされたアーム部２ｂと、を有する。
アーム部２ｂは、軸線ＣＬａから離れるように延びた離隔延在部２ｂ３を有している。この例において、離隔延在部２ｂ３は湾曲形状とされているが、軸線ＣＬａに直交するように延在していてもよい。
基部２ａは、頭部装着用の装着バンド部１の側基部１ａに対し、周知のボールピボット構造により、所定範囲で揺動可能に支持されると共に、ロックリング２ｃの締め付けで所望の揺動姿勢で維持されるようになっている。
【００１３】
表示部３は、内部に、画像（静止画及び動画）を表示する表示素子３ａを備えている。表示素子３ａは、基部２ａの内部に収容された制御部ＣＴから出力された画像信号に基づく画像を表示する。
制御部ＣＴは、基部２ａ内に備えられるものに限定されず、外部に設置されて、基部２ａ側に設けられた通信部（不図示）との間で無線又は有線で通信可能としてもよい。なお、制御部ＣＴは、例えば、ＲＯＭ、ＲＡＭ又はＣＰＵによって構成されるか、又は、これらを協調するように組み合わせた構成であってもよい。
【００１４】
表示部３は、アーム部２ｂの離隔延在部２ｂ３の先端に支持部２ｄを介して取り付けられている。この例において、離隔延在部２ｂ３は湾曲形状で形成されていることから、支持部２ｄは左右方向に延びる軸部２ｄ１をもって表示部３を支持している。また、表示部３のアーム部２ｂに対する姿勢は、支持部２ｄによって微調整可能とされている。
【００１５】
アーム部２ｂと基部２ａとは、連結部２ｅにおいて連結している。具体的には、アーム部２ｂは、基部２ａの一端部に、軸線ＣＬａまわりに少なくとも１８０°の範囲で回動可能に取り付けられている。また、アーム部２ｂには、不図示のばねによって基部２ａを径方向軸心向きに付勢するロックレバー２ｂ１を有している（分解図の図７も参照）。
【００１６】
基部２ａにおけるロックレバー２ｂ１が付勢する周面位置には、周方向に９０°間隔で凹部２ａ１が形成されている。
そして、ロックレバー２ｂ１の先端（基部２ａ側の先端）の突起部２ｂ２（図７参照）が、不図示のばねによる付勢力で凹部２ａ１に進入係合することで、アーム部２ｂの、基部２ａに対する回動は、９０°間隔の３箇所でロックされるようになっている。
【００１７】
ロックを解除してアーム部２ｂを回動させる場合は、指などでロックレバー２ｂ１の突起部２ｂ２とは反対側の部分Ｂ（図７参照）を押して、突起部２ｂ２を凹部２ａ１から離脱させる。
【００１８】
アーム部２ｂを、使用状態から上方に９０°回動した状態が、図３及び図４に示されている。また、図３には、アーム部２ｂを使用状態から下方に９０°回動した状態が、一点鎖線で示されており、図４には、使用状態の表示部３などが、一点鎖線で示されている。
【００１９】
各図に示されるように、ＨＭディスプレイ５１は、表示部３を先端に備えたアーム部２ｂを、基部２ａの軸線ＣＬａまわりに、表示部３が視野内の画像を視認可能な所定位置から上方及び下方へそれぞれ少なくとも９０°回動させた状態である不使用状態として変更可能となっている。そして、このアーム部２ｂの回動によって、表示部３は、使用者Ｈの左眼Ｈｅの視野外に移動する。
【００２０】
図５及び図６は、使用者Ｈが鍔Ｈｂ１付きの帽子Ｈｂを被っている場合の、アーム部２ｂの上下回動による不使用状態への遷移を説明するための、左側面図である。
図５は、上方に９０°回動した上退避状態を示し、図６は、下方に９０°回動した下退避状態を示している。
また、図４には、使用者Ｈが帽子Ｈｂを被っている場合の鍔Ｈｂ１の位置を、二点鎖線で示してある。
【００２１】
図４〜図６に示されるように、ＨＭディスプレイ５１は、先端に表示部３を備えて既述のように湾曲したアーム部２ｂを、頭側部において概ね前後方向に延びるよう設定された軸線ＣＬａのまわりに、回動可能に構成されている。
また、ＨＭディスプレイ５１は、このアーム部２ｂの回動によって、表示部３が上方に所定角度（例えば９０°）回動して視野外に退避した上退避状態と、下方に所定角度（例えば９０°）回動して視野外に退避した下退避状態と、を選択的にとり得るようになっている。
すなわち、ＨＭディスプレイ５１は、不使用状態として、上退避状態と下退避状態とをとり得るようになっている。
【００２２】
そのため、使用者Ｈが鍔Ｈｂ１付きの帽子Ｈｂを被っていても、使用状態から上退避状態への上回動移行、及び、使用状態から下退避状態への下回動移行において、表示部３及びアーム部２ｂが鍔Ｈｂ１に当たることはない。
このように、ＨＭディスプレイ５１は、表示部３を使用状態の位置から不使用状態の位置へ移動退避させる際に、表示部３及びアーム部２ｂが鍔Ｈｂ１に干渉することがなく、使い勝手がよい。
【００２３】
図７は、基部２ａとアーム部２ｂとが連結されている連結部２ｅの分解図である。
表示アーム部２は、連結軸２ｆに外嵌する圧縮ばね６を有し、基部２ａとアーム部２ｂとを組み付けた連結状態で、圧縮ばね６が圧縮されるようになっている。
そのため、基部２ａ及びアーム部２ｂは、圧縮ばね６によって軸線ＣＬａ方向において、互いに離れるよう付勢される。
これにより、アーム部２ｂの基部２ａに対する回動が、ある程度の摩擦をもって行われて滑らかな節度を持ち、好感触で行える。
【００２４】
表示アーム部２は、アーム部２ｂの回動位置により、表示アーム部２の状態、すなわち、使用状態，上退避状態，及び下退避状態のいずれの位置にあるかを、検出可能な構造にするとよい。
図８は、その構造の一例を説明するための図であり、図７に対応した分解図である。
【００２５】
アーム部２ｂにおける基部２ａ側の端部には、周方向の任意の位置に、マグネット７が取り付けられている。
基部２ａには、三つの磁気センサ８が、角度間隔を所定角度（例えば９０°）として、３箇所設けられている。磁気センサ８の設置位置は、アーム部２ｂの使用状態，上退避状態，及び下退避状態の三つの状態におけるマグネット７の各位置に対応している。
これにより、三つの磁気センサ８のうちの磁気を検出している一つを検出判定することで、アーム部２ｂの回動位置、すなわち、三つの状態を検出することができる。
【００２６】
アーム部２ｂの回動状態検出は、マグネット７と磁気センサ８との組による検出に限定されず、他の方法で行ってもよい。
例えば、図９に示されるように、基部２ａ側（又はアーム部２ｂ側）にロータリエンコーダ９を設け、検出軸９ａをアーム部２ｂに同期回動するよう連結しておく。これにより、使用状態からの検出軸９ａの回動角度を検出して判定してもよい。
【００２７】
アーム部２ｂの回動状態が、上述の方法などによって把握できる場合に、２種の不使用状態に対し、制御部ＣＴは、ＨＭディスプレイ５１の設定を制御してもよい。
【００２８】
例えば、検出部としての磁気センサ８又はロータリエンコーダ９が前記アーム部２ｂの状態として上方退避状態を検出した場合に、制御部ＣＴは、電源オンを維持したまま画像表示をオフにして消費電力を低減するなどＨＭディスプレイ５１の一部の機能について電源からの通電をオフとする。これは不使用が短時間の場合に有効である。
また、磁気センサ８又はロータリエンコーダ９が前記アーム部２ｂの状態として下方退避状態を検出した場合に、制御部ＣＴは、ＨＭディスプレイ５１全体の電源をオフにする。
これは、頭部Ｈａへの装着は維持するものの、不使用がある程度長い時間になることが予想される場合に有効である。
【００２９】
もちろん、制御部ＣＴは、上方退避状態から使用状態に状態遷移したと判定したら、直ちに画像表示を行い、下方退避状態から使用状態に状態遷移したと判定したら、電源をオンにして画像表示を行う。
また、下方退避状態から使用状態位置を通過して上方退避状態に状態遷移したら、制御部ＣＴは、電源をオンにして画像表示は行わない。
また、上方退避状態から使用状態位置を通過して下方退避状態に状態遷移したら、制御部ＣＴは、オンの電源をオフにする、などの処理を行う。
【００３０】
以上詳述した実施例は、上述の構成に限定されるものではなく、本発明の要旨を逸脱しない範囲において変形した変形例としてもよい。
【００３１】
アーム部２ｂの回動角度は、９０°に限定されるものではない。９０°以上であってもよく、アーム部２ｂ及び表示部３の形状、及びアーム部２ｂの回動中心位置などに応じて、９０°未満も含め、適宜設定可能である。
【００３２】
装着バンド部１の形状は限定されない。上述の弧状のものに限らず、頭部Ｈａの大きさに適合するように弾性的に拡縮可能とされた環状であってもよい。
【符号の説明】
【００３３】
１  装着バンド部、    １ａ  側基部
２  表示アーム部
２ａ  基部、    ２ａ１  凹部、    ２ｂ  アーム部
２ｂ１  ロックレバー、    ２ｂ２  突起部、    ２ｂ３  離隔延在部
２ｃ  ロックリング、    ２ｄ  支持部、    ２ｄ１  軸部
２ｅ  連結部、    ２ｆ  連結軸
３  表示部、    ３ａ  表示素子
６  圧縮ばね
７  マグネット
８  磁気センサ
９  ロータリエンコーダ、    ９ａ  検出軸
５１  ＨＭディスプレイ（ヘッドマウントディスプレイ）（画像表示装置）
ＣＬａ  軸線
ＣＴ  制御部
Ｈ  使用者
Ｈａ  頭部、    Ｈｂ  帽子、    Ｈｂ１  鍔、    Ｈｅ  左眼
【図１】
2019009674.tif 000003
【図２】
2019009674.tif 000004
【図３】
2019009674.tif 000005
【図４】
2019009674.tif 000006
【図５】
2019009674.tif 000007
【図６】
2019009674.tif 000008
【図７】
2019009674.tif 000009
【図８】
2019009674.tif 000010
【図９】
2019009674.tif 000011